(57)【要約】【課題】照明器具の付加機能を適切に働かせ、また、照明システムの消費電力を削減する。【解決手段】照明システム１００は、発光デバイスＥおよび発光デバイスＥと異なる機能デバイスＦを各々有する複数の照明器具１〜９と、複数の照明器具１〜９への電力の供給有無を切り替える照明コントローラ３０とを備える。照明コントローラ３０は、発光デバイスＥおよび機能デバイスＦのそれぞれの稼働情報に基づいて、複数の照明器具１〜９のうちの１以上の照明器具への電力の供給有無を切り替える制御部３０ｃを有する。【選択図】図１
2020027762.tif 000002
【特許請求の範囲】
【請求項１】
発光デバイスおよび前記発光デバイスと異なる機能デバイスを各々有する複数の照明器具と、
前記複数の照明器具への電力の供給有無を切り替える照明コントローラと
を備え、
前記照明コントローラは、前記発光デバイスおよび前記機能デバイスのそれぞれの稼働情報に基づいて、前記複数の照明器具のうちの１以上の照明器具への電力の供給有無を切り替える制御部を有する
照明システム。
【請求項２】
前記制御部は、前記稼働情報に基づいて、前記発光デバイスおよび前記機能デバイスの少なくとも一方を稼働する場合に前記１以上の照明器具へ電力を供給し、前記発光デバイスおよび機能デバイスの両方を非稼働とする場合に前記１以上の照明器具への電力の供給を停止する
請求項１に記載の照明システム。
【請求項３】
前記照明コントローラは、前記稼働情報を記憶する記憶部を有する
請求項１または２に記載の照明システム。
【請求項４】
前記発光デバイスの前記稼働情報は、前記発光デバイスのレイアウト情報、スケジュール情報および現在の稼働状態に関する情報の少なくとも一つを含む
請求項１〜３のいずれか１項に記載の照明システム。
【請求項５】
前記機能デバイスの前記稼働情報は、前記機能デバイスのレイアウト情報、スケジュール情報および現在の稼働状態に関する情報の少なくとも１つを含む
請求項１〜４のいずれか１項に記載の照明システム。
【請求項６】
前記レイアウト情報および前記スケジュール情報は、前記機能デバイスの種類に応じて予め決められる
請求項５に記載の照明システム。
【請求項７】
前記機能デバイスは、入力デバイス、出力デバイス、通信デバイスおよび演算処理デバイスのうちの少なくとも１つである
請求項１〜６のいずれか１項に記載の照明システム。
【請求項８】
前記入力デバイスは、人感センサ、明るさセンサ、環境センサ、画像センサおよび音センサのうちの少なくとも１つである
請求項７に記載の照明システム。
【請求項９】
前記出力デバイスは、スピーカ、ファン、空気清浄器、表示器および電力出力コネクタのうちの少なくとも１つである
請求項７または８に記載の照明システム。
【請求項１０】
前記照明コントローラは、前記照明器具と異なる外部システムに接続され、
前記制御部は、前記外部システムから出力された情報に基づき前記１以上の照明器具への電力の供給有無を切り替える
請求項１〜９のいずれか１項に記載の照明システム。
【請求項１１】
前記複数の照明器具のうちの一部の照明器具で構成される照明器具群を複数有し、
前記発光デバイスおよび前記機能デバイスのそれぞれの前記稼働情報は、前記照明器具群ごとに共通化され、
前記制御部は、当該稼働情報に基づいて、前記照明器具群ごとに前記電力の供給を切り替える
請求項１〜１０のいずれか１項に記載の照明システム。
【請求項１２】
発光デバイスおよび前記発光デバイスと異なる機能デバイスを各々有する複数の照明器具と、
前記照明器具への電力の供給有無を切り替える照明コントローラと
を備える照明システムの電力供給方法であって、
前記発光デバイスおよび前記機能デバイスのそれぞれの稼働情報を取得し、
前記稼働情報に基づいて、前記複数の照明器具のうちの１以上の照明器具への電力の供給有無を切り替える
照明システムの電力供給方法。
【発明の詳細な説明】
【技術分野】
【０００１】
本発明は、照明器具を備える照明システム、および、照明システムの電力供給方法に関する。
【背景技術】
【０００２】
従来、複数の照明器具を備える照明システムが知られている。この種の照明システムの一例として、特許文献１には、ＬＥＤ（Ｌｉｇｈｔ  Ｅｍｉｔｔｉｎｇ  Ｄｉｏｄｅ）などの発光デバイスを有する複数の照明器具と、複数の照明器具を点灯制御する照明コントローラとを備える照明システムが開示されている。この照明システムでは、照明コントローラによって、各照明器具への電力の供給有無が切り替えられる。
【先行技術文献】
【特許文献】
【０００３】
【特許文献１】特開２０１８−６２２１号公報
【発明の概要】
【発明が解決しようとする課題】
【０００４】
照明システムを構成する複数の照明器具は、建物の天井に点在して設置されることが多い。そのため照明器具には、光の照射とは異なる付加機能として、例えば、人感センサなどの機能が付加されることがある。また照明システムでは、照明システムの消費電力を削減するため、光を照射する必要がない照明器具は消灯させられることがある。
【０００５】
しかしながら、付加機能を有する照明器具では、照明器具に電力が供給されなくなると付加機能を正常に働かせることができなくなるので、安易に電力の供給を停止して消費電力を減らすことができないという問題がある。
【０００６】
そこで本発明は、照明器具の付加機能を適切に働かせ、また、照明システムの消費電力を削減することができる照明システム等を提供すること目的とする。
【課題を解決するための手段】
【０００７】
本発明の照明システムの一態様は、発光デバイスおよび前記発光デバイスと異なる機能デバイスを各々有する複数の照明器具と、前記複数の照明器具への電力の供給有無を切り替える照明コントローラとを備え、前記照明コントローラは、前記発光デバイスおよび前記機能デバイスのそれぞれの稼働情報に基づいて、前記複数の照明器具のうちの１以上の照明器具への電力の供給有無を切り替える制御部を有する。
【０００８】
本発明の照明システムの電力供給方法の一態様は、発光デバイスおよび前記発光デバイスと異なる機能デバイスを各々有する複数の照明器具と、前記照明器具への電力の供給有無を切り替える照明コントローラとを備える照明システムの電力供給方法であって、前記発光デバイスおよび前記機能デバイスのそれぞれの稼働情報を取得し、前記稼働情報に基づいて、前記複数の照明器具のうちの１以上の照明器具への電力の供給有無を切り替える。
【発明の効果】
【０００９】
本発明の照明システム等は、照明器具の付加機能を適切に働かせ、また、照明システムの消費電力を削減することができる。
【図面の簡単な説明】
【００１０】
【図１】実施の形態に係る照明システムを示す模式図である。
【図２】実施の形態に係る照明システムを上から見た模式図である。
【図３】実施の形態に係る照明システムのブロック構成図である。
【図４】実施の形態に係る発光デバイスおよび機能デバイスの各稼働情報を作成するための情報テーブルの一例である。
【図５】実施の形態に係る発光デバイスおよび機能デバイスの各稼働情報を作成するための情報テーブルの一例である。
【図６】実施の形態に係る発光デバイスおよび機能デバイスの各稼働情報を作成するための情報テーブルの一例である。
【図７】実施の形態に係る発光デバイスおよび機能デバイスの各稼働情報を作成するための情報テーブルの一例である。
【図８】実施の形態に係る発光デバイスおよび機能デバイスの各稼働情報の一例を示す図である。
【図９】実施の形態に係る発光デバイスおよび機能デバイスの各稼働情報の一例を示す図である。
【図１０】実施の形態に係る照明システムの電力供給方法を示すフローチャートである。
【図１１】実施の形態に係る照明システムの動作の一例を示すシーケンス図である。
【図１２】実施の形態の変形例１に係る照明システムを上から見た模式図である。
【図１３】実施の形態の変形例１に係る発光デバイスおよび機能デバイスの各稼働情報を作成するための情報テーブルの一例を示す図である。
【図１４】実施の形態の変形例２に係る発光デバイスおよび機能デバイスの各稼働情報を作成するための情報テーブルの一例である。
【図１５】実施の形態の変形例２に係る照明システムを上から見た模式図である。
【図１６】実施の形態の変形例２に係る発光デバイスおよび機能デバイスの各稼働情報を作成するための情報テーブルの一例である。
【図１７Ａ】実施の形態の変形例２に係る発光デバイスおよび機能デバイスの各稼働情報を作成するための情報テーブルの一例である。
【図１７Ｂ】実施の形態の変形例２に係る発光デバイスおよび機能デバイスの各稼働情報を作成するための情報テーブルの一例である。
【図１８】実施の形態の変形例３に係る照明システムを示す模式図である。
【図１９】実施の形態の変形例３に係る照明システムのブロック構成図である。
【図２０】実施の形態の変形例３に係る照明システムの動作の一例を示す図である。
【図２１】実施の形態の変形例４に係る照明システムを上から見た模式図である。
【図２２】実施の形態の変形例４に係る発光デバイスおよび機能デバイスの各稼働情報を作成するための情報テーブルの一例である。
【図２３】実施の形態の変形例５に係る照明システムに接続される外部システムを示す模式図である。
【図２４】実施の形態の変形例５に係る発光デバイスおよび機能デバイスの各稼働情報を作成するための情報テーブルの一例である。
【図２５】実施の形態の変形例５に係る発光デバイスおよび機能デバイスの各稼働情報を作成するための情報テーブルの一例である。
【図２６】実施の形態の変形例６に係る照明システムを示す模式図である。
【図２７】実施の形態の変形例７に係る照明システムを示す模式図である。
【図２８】実施の形態の変形例８に係る照明システムを示す模式図である。
【図２９】実施の形態の変形例９に係る照明システムを示す模式図である。
【発明を実施するための形態】
【００１１】
以下、実施の形態に係る照明システム等について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態）
［１．照明システムの構成］
まず、本実施の形態に係る照明システム１００の全体の構成について説明する。図１は、実施の形態に係る照明システム１００を示す模式図である。
【００１４】
図１に示すように、照明システム１００は、複数の照明器具１、２、３、４、５、６、７、８および９と、各照明器具１〜９と通信する照明コントローラ３０とを備える。各照明器具１〜９は、例えば、建物の部屋の天井等に設置される。また、各照明器具１〜９には、光を照射する発光デバイスＥ、および、光の照射とは異なる機能を有する機能デバイスＦが付加されている。
【００１５】
図１に示すように、各照明器具１〜９は、信号線ＳＬ１を介して照明コントローラ３０に接続されている。また、各照明器具１〜９は、後述する電源スイッチを有しており、電源スイッチは信号線ＳＬ２を介して照明コントローラ３０に接続されている。照明コントローラ３０は、タブレット端末などの情報端末５０と無線で通信可能である。本実施の形態の照明システム１００では、照明コントローラ３０が、情報端末５０等から発光デバイスＥおよび機能デバイスＦの各稼働情報を取得し、取得した各稼働情報に基づいて電源スイッチを開閉制御し、各照明器具１〜９への電力の供給有無を切り替えるように構成されている。
【００１６】
図２は、照明システム１００を上から見た模式図である。
【００１７】
例えば図２に示すように、会議室内に位置する照明器具１は、機能デバイスＦの一例である人感センサＦａを有している。部屋の入口付近に位置する照明器具２、３および窓側に位置する照明器具７〜９は、機能デバイスＦの一例である明るさセンサＦｂを有している。部屋の中央に位置する照明器具５は、機能デバイスＦの一例である環境センサＦｃを有している。照明器具４および６は、機能デバイスＦを有しておらず、発光デバイスＥのみを有している。このように各照明器具１〜９は、各照明器具１〜９が配置される位置に応じた機能デバイスＦを有している。
【００１８】
次に、照明システム１００を構成する照明器具１〜９、照明コントローラ３０について説明する。図３は、照明システム１００のブロック構成図である。
【００１９】
照明器具１〜９は、例えば、ＬＥＤライトである。照明器具１〜９は、建物の造営材である天井などに１００台以上設置されることがある。以下、照明器具１〜９のうち照明器具１を代表例に挙げて説明する。
【００２０】
図２は、照明器具１を示すブロック構成図である。照明器具１は、器具通信部１０ａと、発光デバイスＥと、器具制御部１０ｃと、照明とは異なる付加機能である機能デバイスＦとを備えている。器具通信部１０ａ、発光デバイスＥおよび機能デバイスＦのそれぞれは、器具制御部１０ｃに接続されている。
【００２１】
器具通信部１０ａは、通信モジュールであり、信号線ＳＬ１を介して照明コントローラ３０と通信する。
【００２２】
電源スイッチ１０ｂは、無接点リレーまたは有接点リレーであり、信号線ＳＬ２を介して照明コントローラ３０と通信する。また、電源スイッチ１０ｂには、商用電源が接続される。
【００２３】
発光デバイスＥは、例えば、白色光、赤色光、緑色光または青色光を発する複数の発光ダイオードなどの光源を含む。
【００２４】
機能デバイスＦは、例えば、照明器具１の筐体の表面または筐体の内部に設けられる。機能デバイスＦは、人感センサＦａなどの入力デバイスである。人感センサＦａは、例えば、赤外線センサまたは熱センサである。なお、各照明器具１〜９に付加される機能デバイスＦは、人感センサＦａに限られず、明るさセンサＦｂ、環境センサＦｃ、画像センサまたは音センサであってもよい。明るさセンサＦｂは、例えば、照度センサであり、環境センサＦｃは、例えば、温度センサ、湿度センサまたはガスセンサである。
【００２５】
器具制御部１０ｃは、器具通信部１０ａを介して受け取った照明コントローラ３０の制御指示に基づいて発光デバイスＥの調光および調色を制御する。器具制御部１０ｃは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ならびに、プログラムおよびデータを記憶しているＲＯＭ（Ｒｅａｄ  Ｏｎｌｙ  Ｍｅｍｏｒｙ）などによって構成される。器具制御部１０ｃには、照明器具１が有する機能デバイスＦの種類に関する情報が保存されていてもよい。
【００２６】
器具制御部１０ｃは、機能デバイスＦで検出した情報を照明コントローラ３０に出力する。例えば機能デバイスＦが人感センサＦａである場合、人感センサＦａは会議室内における人の存在有無を検出し、器具制御部１０ｃは人の存在有無に関する情報を照明コントローラ３０に出力する。照明コントローラ３０は、器具制御部１０ｃから出力された情報に基づいて、照明器具１を調光および調色制御する。
【００２７】
照明コントローラ３０は、各照明器具１〜９を調光および調色制御し、また、各照明器具１〜９への電力の供給有無を制御する。照明コントローラ３０は、制御部３０ｃと、制御部３０ｃに接続されている通信部３０ａとを備えている。
【００２８】
通信部３０ａは、信号線ＳＬ１および信号線ＳＬ２を介して各照明器具１〜９と通信する。
【００２９】
制御部３０ｃは、ＣＰＵと、ＲＡＭ、ＲＯＭおよびプログラムを含む記憶部３０ｄとによって構成される。制御部３０ｃは、通信部３０ａを介して、各照明器具１〜９の調光および調色を制御する。また、制御部３０ｃは、発光デバイスＥおよび機能デバイスＦの各稼働情報に基づいて各照明器具１〜９への給電要否を判断し、各照明器具１〜９への電力の供給有無を制御する。
【００３０】
発光デバイスＥの稼働情報は、発光デバイスＥのレイアウト情報、スケジュール情報および現在の稼働状態に関する情報の少なくとも一つを含む。機能デバイスＦの稼働情報は、機能デバイスＦのレイアウト情報、スケジュール情報および現在の稼働状態に関する情報の少なくとも一つを含む。
【００３１】
ここで、発光デバイスＥの稼働情報、機能デバイスＦの稼働情報、および、照明器具１〜９への給電要否に関する情報について例を挙げて説明する。
【００３２】
図４〜図７は、発光デバイスＥおよび機能デバイスＦの各稼働情報を作成するための情報テーブルの一例である。
【００３３】
図４に示すように、記憶部３０ｄには、各照明器具１〜９が有する機能デバイスＦの種類に関する情報が保存されている。例えば記憶部３０ｄには、照明器具１は人感センサＦａを有し、照明器具２は明るさセンサＦｂを有し、照明器具５は環境センサＦｃを有するという情報が保存される。これらの情報は、ユーザによって情報端末５０に入力され、その入力された情報が情報端末５０から照明コントローラ３０に転送されることで、記憶部３０ｄに書き込まれる。なお、これらの情報は、照明コントローラ３０から各照明器具１〜９に保存されている情報を読み出すことで、記憶部３０ｄに書き込まれてもよい。
【００３４】
また、図５に示すように、記憶部３０ｄには、機能デバイスＦの稼働要否に関する情報が保存されている。例えば記憶部３０ｄには、定時前、定時内、定時後のシーンでは人感センサＦａの稼働が必要で、昼休みおよび夜間、深夜のシーンでは人感センサＦａの稼働が不要であるという情報が保存される。これらの情報は、情報端末５０から照明コントローラ３０に転送されることで、記憶部３０ｄに書き込まれる。
【００３５】
また、図６に示すように、記憶部３０ｄには、発光デバイスＥの発光要否に関する情報が保存されている。例えば記憶部３０ｄには、定時内および定時後のシーンでは照明器具１の発光デバイスＥの発光が必要で、定時前、昼休みおよび深夜、早朝のシーンでは照明器具１の発光デバイスＥの発光が不要であるという情報が保存される。これらの情報は、情報端末５０から照明コントローラ３０に転送されることで、記憶部３０ｄに書き込まれる。
【００３６】
また、図７に示すように、記憶部３０ｄには、スケジュールとシーンとの対応付けに関する情報が保存されている。例えば記憶部３０ｄには、△月□日の７時〜９時は、定時前のシーンに該当するという情報が保存される。これらの情報は、情報端末５０から照明コントローラ３０に転送されることで、記憶部３０ｄに書き込まれる。
【００３７】
図８および図９は、発光デバイスＥおよび機能デバイスＦの各稼働情報の一例を示す図である。
【００３８】
制御部３０ｃは、図４〜図７に示す情報テーブルに基づいて、図８に示すような、発光デバイスＥおよび機能デバイスＦの各稼働情報を作成する。また、制御部３０ｃは、上記の各稼働情報に基づいて、照明器具１〜９への給電要否に関する給電情報を作成する。具体的に制御部３０ｃは、上記の各稼働情報に基づいて、発光デバイスＥおよび機能デバイスＦの少なくとも一方を稼働する場合に照明器具への給電が必要であると判断し、発光デバイスＥおよび機能デバイスＦの両方を非稼働とする場合に給電が不要であると判断する。そして制御部３０ｃは、これらの判断に基づいて、照明器具への給電要否に関する給電情報を作成し、記憶部３０ｄに保存する。
【００３９】
図８に示すように、記憶部３０ｄには、発光デバイスＥの稼働に関するスケジュール情報、および、機能デバイスＦの稼働に関するスケジュール情報、ならびに、照明器具１〜９の給電に関する給電情報が保存される。例えば記憶部３０ｄには、７時において、照明器具１の発光デバイスＥを発光させないが人感センサＦａを稼働させるので、照明器具１への給電は必要であるという情報が保存される。
【００４０】
これらの給電情報は、各照明器具１〜９について作成され、記憶部３０ｄに保存される。図９に示すように、記憶部３０ｄには、照明器具１〜９への給電要否に関する情報が保存される。例えば記憶部３０ｄには、７時〜９時において、照明器具１、２および５への給電が必要であるという情報が保存される。制御部３０ｃは、上記の各稼働情報および給電情報に基づいて、各照明器具１〜９の点灯制御および各照明器具１〜９に対する電力の供給有無の切り替え制御を行う。
【００４１】
このように本実施の形態の照明システム１００では、制御部３０ｃは、発光デバイスＥおよび機能デバイスＦの各稼働情報に基づいて、複数の照明器具１〜９のうちの１以上の照明器具への電力の供給有無を切り替える。この照明システム１００によれば、照明器具１〜９の付加機能である機能デバイスＦを適切に働かせ、また、照明システム１００の消費電力を削減することができる。
【００４２】
［２．照明システムの電力供給方法］
次に、照明システム１００の電力供給方法について説明する。図１０は、照明システム１００の電力供給方法を示すフローチャートである。
【００４３】
まず、制御部３０ｃは、発光デバイスＥおよび機能デバイスＦの各稼働情報を作成し保存する（ステップＳ１１）。発光デバイスＥおよび機能デバイスＦの各稼働情報は、図４〜図７に示す情報テーブルに基づいて作成される。作成された各稼働情報は、記憶部３０ｄに保存される。
【００４４】
次に制御部３０ｃは、照明器具１〜９への給電要否に関する給電情報を作成し保存する（ステップＳ１２）。制御部３０ｃは、発光デバイスＥおよび機能デバイスＦの各稼働情報に基づいて給電情報を作成する。具体的には制御部３０ｃは、上記の各稼働情報に基づいて、発光デバイスＥおよび機能デバイスＦの少なくとも一方を稼働する場合に照明器具への給電が必要であるとする給電情報を作成し、発光デバイスＥおよび機能デバイスＦの両方を非稼働とする場合に給電が不要であるとする給電情報を作成する。作成された給電情報は、記憶部３０ｄに保存される。
【００４５】
次に制御部３０ｃは、記憶部３０ｄに保存した各稼働情報および給電情報に基づいて、照明器具１〜６を点灯制御し、また、電力の供給有無の切り替え制御を行う（ステップＳ１３）。
【００４６】
図１１は、照明システム１００の動作の一例を示すシーケンス図である。
【００４７】
図１１に示すように、７時〜９時において、各照明器具１、２および５に電力が供給される。なお、照明器具５は常時給電される。この時間帯では、照明器具１および５の発光デバイスＥは発光せず、機能デバイスＦが稼働するように制御される。照明器具２は、発光デバイスＥおよび機能デバイスＦの両方が稼働するように制御される。
【００４８】
９時〜１２時は、照明器具１および５の発光デバイスＥが発光するように制御される。
【００４９】
１２時〜１３時は、照明器具１および２への給電が停止される。これにより、照明器具１および２は、発光デバイスＥおよび機能デバイスＦの両方が非稼働となるように制御される。照明器具５には給電が継続され、発光デバイスＥの発光も継続される。
【００５０】
１３時〜１８時は、照明器具１および２への給電が開始される。これにより、照明器具１および２は、発光デバイスＥおよび機能デバイスＦの両方が稼働するように制御される。
【００５１】
１８時〜２０時は、照明器具１の発光デバイスＥの発光が停止させられる。しかしながら、照明器具１には給電が継続され、機能デバイスＦは稼働するように制御される。
【００５２】
２０時〜翌７時までは、照明器具１および２への給電が停止される。これにより、照明器具１および２は、発光デバイスＥおよび機能デバイスＦの両方が非稼働となるように制御される。照明器具５は、発光デバイスＥの発光が停止されるが、給電は継続される。
【００５３】
この電力供給方法によれば、照明とは異なる付加機能である機能デバイスＦの通信機能を適切に働かせつつ、照明システム１００の消費電力を削減することができる。
【００５４】
［３．変形例１］
次に、実施の形態の変形例１に係る照明システム１００Ａについて説明する。変形例１では、照明器具１〜９が配置される位置に応じて機能デバイスＦの稼働情報が決められる例について説明する。
【００５５】
図１２は、変形例１に係る照明システム１００Ａを上から見た模式図である。図１３および図１４は、変形例１に係る発光デバイスＥおよび機能デバイスＦの各稼働情報を作成するための情報テーブルの一例である。図１２のｘ方向およびｙ方向のそれぞれに沿う数字１、２、３は、部屋における各照明器具１〜９の座標を示している。
【００５６】
図１２に示すように、変形例１の照明システム１００Ａでは、ｘ＝１，ｙ＝１に位置する照明器具１は、人感センサＦａを有し、ｙ＝３に位置する照明器具７〜０は、明るさセンサＦｂを有し、ｘ＝２，ｙ＝２に位置する照明器具５は、環境センサＦｃを有している。
【００５７】
図１３および図１４に示すように、記憶部３０ｄには、機能デバイスＦの部屋内の位置を示すレイアウト情報とともに、機能デバイスＦの稼働要否に関する情報が保存されている。具体的に記憶部３０ｄには、ｘ＝１，ｙ＝１に位置する人感センサＦａは定時前および定時後のシーンにて稼働させ、ｙ＝３に位置する明るさセンサＦｂは定時内のシーンにて稼働させ、ｘ＝２，ｙ＝２に位置する環境センサＦｃは常時稼働させるという稼働要否に関する情報が保存される。
【００５８】
制御部３０ｃは、図１３および図１４に示す情報テーブルに基づいて、発光デバイスＥおよび機能デバイスＦの各稼働情報を作成し、また、各稼働情報に基づいて、照明器具１〜９への給電要否に関する給電情報を作成する。
【００５９】
照明システム１００Ａの制御部３０ｃは、上記の各稼働情報および給電情報に基づいて、各照明器具１〜９の点灯制御および各照明器具１〜９に対する電力の供給有無の切り替え制御を行う。この照明システム１００Ａによれば、照明器具１〜９が配置される位置に応じて照明器具１〜９の付加機能である機能デバイスＦを適切に働かせ、また、照明システム１００Ａの消費電力を削減することができる。
【００６０】
［４．変形例２］
次に、実施の形態の変形例２に係る照明システム１００Ｂについて説明する。変形例１では、照明器具１〜９が配置されるエリアに応じて機能デバイスＦの稼働情報が決められる例について説明する。
【００６１】
図１５は、変形例２に係る照明システム１００Ｂを上から見た模式図である。図１６、図１７Ａおよび図１７Ｂは、変形例２に係る発光デバイスＥおよび機能デバイスＦの各稼働情報を作成するための情報テーブルの一例である。
【００６２】
図１５に示すように、変形例２の照明システム１００Ｂでは、作業場であるエリア１の照明器具２〜９は、明るさセンサＦｂまたは環境センサＦｃを有し、会議室であるエリア２の照明器具１は、人感センサＦａを有している。
【００６３】
図１６〜図１７Ｂに示すように、記憶部３０ｄには、機能デバイスＦの部屋内のエリアを示すレイアウト情報とともに、機能デバイスＦの稼働要否に関する情報が保存されている。具体的には図１７Ａに示すように、記憶部３０ｄには、エリア１の明るさセンサＦｂおよび環境センサＦｃの稼働要否に関する情報が保存される。また、図１７Ｂに示すように、記憶部３０ｄには、エリア２の人感センサＦａの稼働要否に関する情報が保存される。
【００６４】
制御部３０ｃは、図１６〜図１７Ｂに示す情報テーブルに基づいて、発光デバイスＥおよび機能デバイスＦの各稼働情報を作成し、また、各稼働情報に基づいて、照明器具１〜９への給電要否に関する給電情報を作成する。
【００６５】
照明システム１００Ｂの制御部３０ｃは、上記の各稼働情報および給電情報に基づいて、各照明器具１〜９の点灯制御および各照明器具１〜９に対する電力の供給有無の切り替え制御を行う。この照明システム１００Ｂによれば、照明器具１〜９が配置されるエリアに応じて照明器具１〜９の付加機能である機能デバイスＦを適切に働かせ、また、照明システム１００Ｂの消費電力を削減することができる。
【００６６】
［５．変形例３］
次に、実施の形態の変形例３に係る照明システム１００Ｃについて説明する。変形例３では、複数の照明器具１〜９のうちの一部の照明器具が照明器具群Ｇ１およびＧ２を構成し、照明器具群Ｇ１、Ｇ２ごとに電力の供給有無が切り替えられる例について説明する。
【００６７】
図１８は、変形例３に係る照明システム１００Ｃを示す模式図である。図１９は、変形例３に係る照明システム１００Ｃのブロック構成図である。
【００６８】
図１８に示すように、照明システム１００Ｃは、複数の照明器具１〜９と、複数のスイッチ４１および４２と、照明コントローラ３０とを備える。各照明器具１〜９は、信号線ＳＬ１を介して照明コントローラ３０に接続されている。各スイッチ４１、４２は、信号線ＳＬ２を介して照明コントローラ３０に接続されている。照明器具１は、電源線ＰＬ１を介してスイッチ２１に接続され、各照明器具２〜４は、電源線ＰＬ２を介してスイッチ４２に接続されている（照明器具２について図１９参照）。
【００６９】
変形例３の照明システム１００Ｃは、照明器具１〜９のうち、照明器具１で構成される照明器具群Ｇ１および照明器具２〜４で構成される照明器具群Ｇ２を有している。スイッチ４１は照明器具群Ｇ１に接続され、スイッチ４２は照明器具群Ｇ２に接続されている。発光デバイスＥおよび機能デバイスＦの各稼働情報は、照明器具群Ｇ１、Ｇ２ごとに共通化されている。
【００７０】
制御部３０ｃは、共通化された各稼働情報に基づいて、照明器具群Ｇ１、Ｇ２ごとに電力の供給を切り替える。すなわち制御部３０ｃが各スイッチ４１、４２の開閉を制御することで、各スイッチ４１、４２に接続された各照明器具への電力の供給有無を切り替える。
【００７１】
図２０は、変形例３に係る照明システム１００Ｃの動作を示す図である。図２０では、スイッチ４１、４２のうちスイッチ４２を例に挙げて説明する。
【００７２】
図２０に示すように、制御部３０ｃは、スイッチ４２に接続された照明器具２〜４のうち全ての照明器具２〜４が非稼働である場合に、スイッチ４２をオフしてスイッチ４２に接続された全ての照明器具２〜４への電力の供給を停止する。また、制御部３０ｃは、スイッチ４２に接続された照明器具２〜４のうち少なくとも１つの照明器具が稼働である場合に、スイッチ４２をオンしてスイッチ４２に接続された全ての照明器具２〜４へ電力を供給する。
【００７３】
この照明システム１００Ｃによれば、照明器具群Ｇ１、Ｇ２ごとに照明器具１〜９の付加機能である機能デバイスＦを適切に働かせ、また、照明システム１００Ｃの消費電力を削減することができる。
【００７４】
［６．変形例４］
次に、実施の形態の変形例４に係る照明システム１００Ｄについて説明する。変形例４では、各照明器具１〜９の位置ごとに機能デバイスＦの稼働情報が決められている例について説明する。
【００７５】
図２１は、変形例４に係る照明システム１００Ｄを上から見た模式図である。図２２は、変形例４に係る発光デバイスＥおよび機能デバイスＦの各稼働情報を作成するための情報テーブルの一例である。
【００７６】
変形例４の照明システム１００Ｄでは、機能デバイスＦとして音センサＦｄが用いられている。なお機能デバイスＦは、音センサＦｄに限られず、画像センサであってもよい。
【００７７】
図２１に示すように、照明システム１００Ｄでは、部屋内の位置Ａに照明器具９の音センサＦｄが設置され、位置Ｂには照明器具８の音センサＦｄが設置され、位置Ｃには照明器具７の音センサＦｄが設置されている。図２２に示すように、記憶部３０ｄには、位置ＡおよびＢでは音センサＦｄの稼働が許可され、位置Ｃでは音センサＦｄの稼働が許可されていないという稼働可否に関する情報が保存されている。
【００７８】
制御部３０ｃは、図２２に示す情報テーブルに基づいて、発光デバイスＥおよび機能デバイスＦ（本変形例では音センサＦｄ）の各稼働情報を作成し、また、各稼働情報に基づいて、照明器具１〜９への給電要否に関する給電情報を作成する。
【００７９】
照明システム１００Ｄの制御部３０ｃは、上記の各稼働情報および給電情報に基づいて、各照明器具１〜９の点灯制御および各照明器具１〜９に対する電力の供給有無の切り替え制御を行う。この照明システム１００Ｄによれば、照明器具１〜９の機能デバイスＦの稼働可否に関する情報に応じて照明器具１〜９の付加機能である機能デバイスＦを適切に働かせ、また、照明システム１００Ｄの消費電力を削減することができる。
【００８０】
［７．変形例５］
次に、実施の形態の変形例５に係る照明システム１００Ｅについて説明する。変形例５では、照明システム１００Ｅに外部システム２００が接続されている例について説明する。
【００８１】
図２３は、変形例５に係る照明システム１００Ｅに接続される外部システム２００を示す模式図である。図２４および図２５は、変形例５に係る発光デバイスＥおよび機能デバイスＦの各稼働情報を作成するための情報テーブルの一例である。
【００８２】
外部システム２００は、例えば、空調システム、防災システムまたは防犯システムなどである。外部システム２００は、照明システム１００Ｅの照明コントローラ３０に接続される。照明コントローラ３０の制御部３０ｃは、外部システム２００から出力された情報に基づき、照明器具１〜９への電力の供給有無を切り替える。
【００８３】
図２４に示すように、記憶部３０ｄには、各スケジュールに対応した外部システム２００の稼働情報が保存されている。図２５に示すように、記憶部３０ｄには、外部システム２００から機能デバイスＦへの稼働要求に関する情報が保存されている。例えば記憶部３０ｄには、外部システム２００が稼働するときは、環境センサＦｃを稼働するように要求し、外部システム２００が非稼働であるときは、環境センサＦｃを稼働するように要求しないという情報が保存される。
【００８４】
制御部３０ｃは、図２４および図２５に示す情報テーブルに基づいて、発光デバイスＥおよび機能デバイスＦの各稼働情報を作成し、また、各稼働情報に基づいて、照明器具１〜９への給電要否に関する給電情報を作成する。
【００８５】
照明システム１００Ｅの制御部３０ｃは、上記の各稼働情報および給電情報に基づいて、各照明器具１〜９の点灯制御および各照明器具１〜９に対する電力の供給有無の切り替え制御を行う。この照明システム１００Ｅによれば、外部システム２００から出力された情報に応じて照明器具１〜９の付加機能である機能デバイスＦを適切に働かせ、また、照明システム１００Ｅの消費電力を削減することができる。
【００８６】
［８．変形例６、７、８および９］
次に、実施の形態の変形例６、７、８および９に係る各照明システムについて説明する。
【００８７】
変形例６〜９では、各照明器具１〜９の機能デバイスＦが出力デバイスである例について説明する。出力デバイスの例としては、スピーカ、ファン、空気清浄器、表示器および電力出力コネクタなどが挙げられる。
【００８８】
図２６は、変形例６に係る照明システム１００Ｆを示す模式図である。
【００８９】
変形例６の照明システム１００Ｆの照明器具９は、機能デバイスＦの一例であるスピーカＦｅを有している。照明システム１００Ｆでは機能デバイスＦの稼働情報として、スピーカＦｅは、１０時〜１０時１５分、１２時〜１２時４５分、１５時〜１５時１５分および２０時〜２０時１５分の間に音楽を出力するように決められている。
【００９０】
制御部３０ｃは、上記の稼働情報に基づいて、発光デバイスＥおよび機能デバイスＦ（本変形例ではスピーカＦｅ）の各稼働情報を作成し、また、各稼働情報に基づいて、照明器具１〜９への給電要否に関する給電情報を作成する。本変形例では、少なくとも上記の時間において、照明器具９への給電が必要となる。照明システム１００Ｆの制御部３０ｃは、上記の各稼働情報および給電情報に基づいて、各照明器具１〜９の点灯制御および各照明器具１〜９に対する電力の供給有無の切り替え制御を行う。
【００９１】
図２７は、変形例７に係る照明システム１００Ｇを示す模式図である。
【００９２】
変形例７の照明システム１００Ｇの照明器具９は、機能デバイスＦの一例である空気清浄器Ｆｆを有している。照明システム１００Ｇでは機能デバイスＦの稼働情報として、空気清浄器Ｆｆは、８時〜２０時の間に微粒子イオンを発生するように決められている。
【００９３】
制御部３０ｃは、上記の稼働情報に基づいて、発光デバイスＥおよび機能デバイスＦ（本変形例では空気清浄器Ｆｆ）の各稼働情報を作成し、また、各稼働情報に基づいて、照明器具１〜９への給電要否に関する給電情報を作成する。本変形例では、少なくとも上記の時間において、照明器具９への給電が必要となる。照明システム１００Ｇの制御部３０ｃは、上記の各稼働情報および給電情報に基づいて、各照明器具１〜９の点灯制御および各照明器具１〜９に対する電力の供給有無の切り替え制御を行う。
【００９４】
図２８は、変形例８に係る照明システム１００Ｈを示す模式図である。
【００９５】
変形例８の照明システム１００Ｈの照明器具９は、機能デバイスＦとしてランプなどの表示器Ｆｇを有している。照明システム１００Ｈでは機能デバイスＦの稼働情報として、８時〜２０時の間に訪問者が来た場合に、訪問相手の居場所に位置する照明器具の表示器Ｆｇを点滅させるように決められている。
【００９６】
制御部３０ｃは、上記の稼働情報に基づいて、発光デバイスＥおよび機能デバイスＦ（本変形例では表示器Ｆｇ）の各稼働情報を作成し、また、各稼働情報に基づいて、照明器具１〜９への給電要否に関する給電情報を作成する。本変形例では、少なくとも上記の時間において、照明器具９への給電が必要となる。照明システム１００Ｈの制御部３０ｃは、上記の各稼働情報および給電情報に基づいて、各照明器具１〜９の点灯制御および各照明器具１〜９に対する電力の供給有無の切り替え制御を行う。
【００９７】
図２９は、変形例９に係る照明システム１００ｉを示す模式図である。
【００９８】
変形例９の照明システム１００ｉでは、照明器具９の機能デバイスＦとして電力出力コネクタＦｈが用いられている。電力出力コネクタＦｈは、例えば、ＵＳＢ（Ｕｎｉｖｅｒｓａｌ  Ｓｅｒｉａｌ  Ｂｕｓ）コネクタまたはＡＣ１００Ｖ用コンセントである。電力出力コネクタＦｈには、例えば、防犯用カメラまたは通信モジュールが取り付けられる。照明システム１００ｉでは電力出力コネクタＦｈに取り付けられるデバイスが防犯用カメラである場合、電力出力コネクタＦｈは、２０時〜翌８時の間に電力を出力するように決められている。
【００９９】
制御部３０ｃは、上記の稼働情報に基づいて、発光デバイスＥおよび機能デバイスＦ（本変形例では電力出力コネクタＦｈ）の各稼働情報を作成し、また、各稼働情報に基づいて、照明器具１〜９への給電要否に関する給電情報を作成する。本変形例では、少なくとも上記の時間において、照明器具９への給電が必要となる。照明システム１００ｉの制御部３０ｃは、上記の各稼働情報および給電情報に基づいて、各照明器具１〜９の点灯制御および各照明器具１〜９に対する電力の供給有無の切り替え制御を行う。
【０１００】
これらの各照明システム１００Ｆ、１００Ｇ、１００Ｈ、１００ｉによれば、照明器具１〜９の機能デバイスＦの各稼働情報に応じて照明器具１〜９の付加機能である機能デバイスＦを適切に働かせ、また、各照明システム１００Ｆ〜１００ｉの消費電力を削減することができる。
【０１０１】
なお、上記変形例６〜９では、機能デバイスＦが出力デバイスである例について説明したが、それに限られない。機能デバイスＦは、無線モジュールなどの通信デバイス、または、分散処理用の演算処理デバイスであってもよい。
【０１０２】
（まとめ）
本実施の形態に係る照明システム１００等は、発光デバイスＥおよび発光デバイスＥと異なる機能デバイスＦを各々有する複数の照明器具１〜９と、複数の照明器具１〜９への電力の供給有無を切り替える照明コントローラ３０とを備える。照明コントローラ３０は、発光デバイスＥおよび機能デバイスＦのそれぞれの稼働情報に基づいて、複数の照明器具１〜９のうちの１以上の照明器具への電力の供給有無を切り替える制御部３０ｃを有する。
【０１０３】
このように、発光デバイスＥおよび機能デバイスＦのそれぞれの稼働情報に基づいて、照明器具１〜９への電力の供給有無を切り替えることで、照明器具１〜９の付加機能である機能デバイスＦを適切に働かせ、また、照明システム１００等の消費電力を削減することができる。
【０１０４】
また、制御部３０ｃは、上記稼働情報に基づいて、発光デバイスＥおよび機能デバイスＦの少なくとも一方を稼働する場合に上記１以上の照明器具へ電力を供給し、発光デバイスＥおよび機能デバイスＦの両方を非稼働とする場合に上記１以上の照明器具への電力の供給を停止してもよい。
【０１０５】
このように、発光デバイスＥおよび機能デバイスＦの少なくとも一方を稼働する場合に上記１以上の照明器具へ電力を供給することで、照明器具１〜９の付加機能である機能デバイスＦを適切に働かせ、また、照明システム１００等の消費電力を削減することができる。また、照明器具への電力の供給が意図せずに停止されて照明器具の付加機能が働かなくなることを抑制できる。
【０１０６】
また、照明コントローラ３０は、上記稼働情報を記憶する記憶部３０ｄを有していてもよい。
【０１０７】
これによれば、記憶部３０ｄに記憶された稼働情報に基づいて、照明器具１〜９への電力の供給有無を切り替えることができる。これにより、照明器具１〜９の付加機能である機能デバイスＦを適切に働かせ、また、照明システム１００等の消費電力を削減することができる。
【０１０８】
また、発光デバイスＥの上記稼働情報は、発光デバイスＥのレイアウト情報、スケジュール情報および現在の稼働状態に関する情報の少なくとも一つを含んでいてもよい。
【０１０９】
これによれば、発光デバイスＥのレイアウト情報、スケジュール情報および現在の稼働状態に関する情報に基づいて、照明器具１〜９への電力の供給有無を切り替えることができる。これにより、照明器具１〜９の付加機能である機能デバイスＦを適切に働かせ、また、照明システム１００等の消費電力を削減することができる。
【０１１０】
また、機能デバイスＦの上記稼働情報は、機能デバイスＦのレイアウト情報、スケジュール情報および現在の稼働状態に関する情報の少なくとも１つを含んでいてもよい。
【０１１１】
これによれば、機能デバイスＦのレイアウト情報、スケジュール情報および現在の稼働状態に関する情報に基づいて、照明器具１〜９への電力の供給有無を切り替えることができる。これにより、照明器具１〜９の付加機能である機能デバイスＦを適切に働かせ、また、照明システム１００等の消費電力を削減することができる。
【０１１２】
また、レイアウト情報およびスケジュール情報は、機能デバイスＦの種類に応じて予め決められてもよい。
【０１１３】
これによれば、機能デバイスＦの種類に応じたレイアウト情報およびスケジュール情報に基づいて、照明器具１〜９への電力の供給有無を切り替えることができる。これにより、照明器具１〜９の付加機能である機能デバイスＦを適切に働かせ、また、照明システム１００等の消費電力を削減することができる。
【０１１４】
また、機能デバイスＦは、入力デバイス、出力デバイス、通信デバイスおよび演算処理デバイスのうちの少なくとも１つであってもよい。
【０１１５】
これによれば、照明器具１〜９の付加機能である入力デバイス、出力デバイス、通信デバイスまたは演算処理デバイスを適切に働かせ、また、照明システム１００等の消費電力を削減することができる。
【０１１６】
また、入力デバイスは、人感センサ、明るさセンサ、環境センサ、画像センサおよび音センサのうちの少なくとも１つであってもよい。
【０１１７】
これによれば、照明器具１〜９の付加機能である人感センサ、明るさセンサ、環境センサ、画像センサまたは音センサを適切に働かせ、また、照明システム１００等の消費電力を削減することができる。
【０１１８】
また、出力デバイスは、スピーカ、ファン、空気清浄器、表示器および電力出力コネクタのうちの少なくとも１つであってもよい。
【０１１９】
これによれば、照明器具１〜９の付加機能であるスピーカ、ファン、空気清浄器、表示器または電力出力コネクタを適切に働かせ、また、照明システム１００等の消費電力を削減することができる。
【０１２０】
また、照明コントローラ３０は、照明器具１〜９と異なる外部システム２００に接続され、制御部３０ｃは、外部システム２００から出力された情報に基づき上記１以上の照明器具への電力の供給有無を切り替えてもよい。
【０１２１】
このように、外部システム２００の情報に基づいて照明器具１〜９への電力の供給有無を切り替えることで、照明器具１〜９の付加機能である機能デバイスＦを適切に働かせ、また、照明システム１００等の消費電力を削減することができる。
【０１２２】
また、複数の照明器具１〜９のうちの一部の照明器具で構成される照明器具群を複数有し、発光デバイスＥおよび機能デバイスＦのそれぞれの稼働情報は、照明器具群Ｇ１、Ｇ２ごとに共通化され、制御部３０ｃは、当該稼働情報に基づいて、照明器具群Ｇ１、Ｇ２ごとに電力の供給を切り替えてもよい。
【０１２３】
これによれば、照明器具群Ｇ１、Ｇ２ごとに照明器具１〜９の付加機能である機能デバイスＦを適切に働かせ、また、照明システム１００等の消費電力を削減することができる。
【０１２４】
本実施の形態に係る照明システムの電力供給方法は、発光デバイスＥおよび発光デバイスＥと異なる機能デバイスＦを各々有する複数の照明器具１〜９と、照明器具１〜９への電力の供給有無を切り替える照明コントローラ３０とを備える照明システム１００等の電力供給方法であって、発光デバイスＥおよび機能デバイスＦのそれぞれの稼働情報を取得し、上記稼働情報に基づいて、複数の照明器具１〜９のうちの１以上の照明器具への電力の供給有無を切り替える。
【０１２５】
このように、発光デバイスＥおよび機能デバイスＦのそれぞれの稼働情報に基づいて、照明器具１〜９への電力の供給有無を切り替えることで、照明器具１〜９の付加機能である機能デバイスＦを適切に働かせ、また、照明システム１００等の消費電力を削減することができる。
【０１２６】
（その他の形態）
以上、照明システム１００等について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【０１２７】
照明コントローラ３０は、メインコントローラと、メインコントローラに接続されたサブコントローラとによって構成され、サブコントローラが各照明器具１〜９と通信可能であってもよい。
【符号の説明】
【０１２８】
１、２、３、４、５、６、７、８、９  照明器具
３０    照明コントローラ
３０ｃ  制御部
３０ｄ  記憶部
１００、１００Ａ、１００Ｂ、１００Ｃ、１００Ｄ、１００Ｅ、１００Ｆ、１００Ｇ、１００Ｈ、１００ｉ  照明システム
２００    外部システム
Ｅ      発光デバイス
Ｆ      機能デバイス
Ｆａ    人感センサ
Ｆｂ    明るさセンサ
Ｆｃ    環境センサ
Ｆｄ    音センサ
Ｆｅ    スピーカ
Ｆｆ    空気清浄器
Ｆｇ    表示器
Ｆｈ    電力出力コネクタ
Ｇ１、Ｇ２  照明器具群
【図１】
2020027762.tif 000003
【図２】
2020027762.tif 000004
【図３】
2020027762.tif 000005
【図４】
2020027762.tif 000006
【図５】
2020027762.tif 000007
【図６】
2020027762.tif 000008
【図７】
2020027762.tif 000009
【図８】
2020027762.tif 000010
【図９】
2020027762.tif 000011
【図１０】
2020027762.tif 000012
【図１１】
2020027762.tif 000013
【図１２】
2020027762.tif 000014
【図１３】
2020027762.tif 000015
【図１４】
2020027762.tif 000016
【図１５】
2020027762.tif 000017
【図１６】
2020027762.tif 000018
【図１７Ａ】
2020027762.tif 000019
【図１７Ｂ】
2020027762.tif 000020
【図１８】
2020027762.tif 000021
【図１９】
2020027762.tif 000022
【図２０】
2020027762.tif 000023
【図２１】
2020027762.tif 000024
【図２２】
2020027762.tif 000025
【図２３】
2020027762.tif 000026
【図２４】
2020027762.tif 000027
【図２５】
2020027762.tif 000028
【図２６】
2020027762.tif 000029
【図２７】
2020027762.tif 000030
【図２８】
2020027762.tif 000031
【図２９】
2020027762.tif 000032